【事件の表示】
　特願２００４−２１６６８８「映像表示装置」拒絶査定不服審判事件〔平成１６年１２月１６日出願公開、特開２００４−３５５０１３〕について、次のとおり審決する。
【結　論】
　本件審判の請求は、成り立たない。
【理　由】
　
第一　経緯
　
１．手続
　本願は、平成８年７月２５日の出願（特願平８−１９６３８９号）の一部を新たな特許出願とした平成１６年７月２６日の出願である。
　本件は、本願についてされた拒絶査定（平成１８年５月２日付け）を不服とする平成１８年６月１５日の審判の請求であり、請求後、手続補正書（平成１８年７月１８日付け、明細書及び図面について請求の日から３０日以内にする補正）が提出された。
　平成１８年７月１８日付けの手続補正は、決定（平成１８年１１月１７日付け）により却下された。
　当審は、平成１８年１１月１７日付けで査定の理由とは異なる拒絶の理由を通知した。そして、同通知において指定した期間内に手続補正書（平成１９年１月２２日付け）が提出された。
　
２．査定
　原査定の理由は、概略、下記のとおりである。
　　　　　記（査定の理由）
　本願発明（請求項１から請求項７まで）は、下記刊行物（引用例）に記載された発明及び周知技術に基づいて当業者が容易に発明をすることができたものであるから、特許法第２９条第２項の規定により、特許を受けることができない。
　　　　　記
　引用例１：特開平７−６７０７９号公報
　引用例２：特開平３−８７２７８号公報
　引用例３：特開平４−３３６２６７号公報
　引用例４：実願昭６２−９２８８６号（実開昭６３−２００９７２号）
　　　　　　のマイクロフィルム（査定で引用）
　引用例５：特開平２−２３７２８０号公報（査定で引用）
　引用例６：特開平２−２８８６９０号公報（査定で引用）
　引用例７：特開平５−２５２４５５号公報（査定で引用）
　引用例８：特開平８−９８１０５号公報（査定で引用）
　
３．拒絶理由通知（当審）
　当審が通知した拒絶の理由は、概略、下記のとおりである。
　　　　　記（当審が通知した拒絶の理由）
　本願発明（請求項１から請求項７まで）は、下記刊行物に記載された発明及び周知技術に基づいて当業者が容易に発明をすることができたものであるから、特許法第２９条第２項の規定により、特許を受けることができない。
　　　　　記
　刊行物１：特開平７−５８５６号公報 
　刊行物２：特開平８−１０７５４７号公報 
　刊行物３：特開平６−３０３５３号公報 
　刊行物４：特開平７−１４０９６４号公報 
　刊行物５：特開平２−２８８６９０号公報（査定で引用） 
　刊行物６：特開平８−９８１０５号公報（査定で引用） 
　刊行物７：特開平７−６７０７９号公報（査定で引用） 
　刊行物８：特開平４−１７０１９５号公報 
　刊行物９：実開平５−４５７８９号公報（ＣＤ−ＲＯＭ） 
　
　なお、刊行物７から刊行物９までについては、「後の補正を考慮し予備的に引用する。引用内容は、Ａ／Ｄ変換に関する事項等である。」と拒絶理由通知書に記載した。
　
第二　本願発明
　
　本願の請求項１から請求項５までに係る発明は、本願明細書および図面（平成１６年８月２３日付け、平成１８年３月３日付け、および平成１９年１月２２日付けの各手続補正書により補正された明細書および図面）の記載からみて、それぞれ、その特許請求の範囲の請求項１から請求項５までに記載したとおりのものであるところ、そのうち、請求項１に係る発明（本願発明ともいう）は、下記のとおりである。
　　　　　記（請求項１に係る発明）
　互いに解像度及びアスペクト比が異なる複数種類の映像信号が入力可能であって、該入力された映像信号に基づき表示デバイスに映像を表示する映像表示装置において、
　前記表示デバイスは画素構造を有する表示デバイスであって、前記入力映像信号の種類を識別するための識別信号が、該入力映像信号に対応して外部から入力されており、
　前記入力された識別信号に基づいて、入力映像信号の種類に対応する前記入力映像信号の有効表示領域に応じたサンプル数で前記入力映像信号のサンプリングを行うサンプリング手段と、
　前記サンプリング手段でサンプリングされた映像信号を水平方向、垂直方向に拡大する拡大処理回路と、
　映像信号の水平方向の拡大率及び垂直方向の拡大率の組み合わせを、前記入力映像信号の種類と対応付けて予め記憶する記憶手段と、
　前記入力された識別信号に基づいて、入力映像信号の種類に対応する水平方向の拡大率及び垂直方向の拡大率の組み合わせを前記記憶手段から引き出し、該引き出された拡大率の組み合わせを用いて、前記拡大処理回路を制御するコントローラと、
　を備えることを特徴とする映像表示装置。
　
第三　判断
　
１．刊行物の記載
　査定で引用され当審の拒絶の理由でも引用した上記刊行物７（特開平７−６７０７９号公報）には、「映像信号変換装置」に関して、以下の記載がある。
　〈産業上の利用分野〉
　　（ア）「本発明は、規格の異なる複数の映像信号を選択して他の規格の映像信号に変換する映像信号変換装置に関する。」（段落0001）
　〈従来の技術〉
　　（イ）「パーソナルコンピュータ（以下、パソコンという）からの映像信号やテレビジョン信号など、規格の異なる複数の映像信号をハイビジョン受像機で受信するためには、入力映像信号をハイビジョン信号に変換する映像信号変換装置が必要となる。
　従来、この種、映像信号変換装置においては、
入力映像信号の種類に応じて手動により信号処理方法を切り換えて
　また、入力される映像の縦横サイズなどの特徴が変換後の映像信号と同じであれば問題無いが、
一般に入力映像信号の規格は様々であり、例えば、入力される映像のサイズが出力映像のサイズより小さい場合、拡大処理を行い、できるだけ画面一杯に表示する
　しかしながら、入力される映像の種類は不確定であり
映像毎に拡大率を手動で切り替えるのは非常に煩わしい
　〈発明が解決しようとする課題〉
　　（ウ）「本発明は上記欠点を解消するものであり、入力映像信号の種類を自動的に識別し、入力に応じて最適な処理を行うことができる映像信号変換装置を提供するものである。」（段落0006）
　
　〈第１の実施例（図１）〉
　〈装置のブロック〉
　　（エ）「図１は本実施例装置の概略ブロック図であり、１はパソコンからのアナログ映像信号Ｒ、Ｇ、Ｂを入力してクランプ処理等を行うアナログ処理部、２はこのアナログ信号をデジタルデータに変換するＡ／Ｄ変換部、３はハイビジョン信号１フレーム分（１９２０画素×１０３５本）のデータを格納できるフレームメモリを有し、前記デジタルデータをハイビジョン信号に走査変換する走査変換部、４はブルーバック表示や拡大縮小処理を行うデータ処理部、５はデジタルデータをアナログ信号に変換するＤ／Ａ変換部である。また、６は複合同期信号を入力とし、水平同期信号及び垂直同期信号を分離する同期信号処理部、７、８は前記走査変換部３に対する書き込み制御部及び読み出し制御部である。９はこの同期信号に基づいて所定周波数のクロックを再生するクロック再生部、１０は前記同期信号に基づき、常に垂直周波数、水平周波数、走査方法、走査線数及び同期極性を検出し、入力映像信号が変更された場合、それを判別するとともに、入力映像信号の種類を特定する入力映像識別部、
１１は複数の入力映像信号に応じた制御データを記憶しているＲＯＭ（図示省略）を有し、前記入力映像識別部出力に基づいて対応する制御データを読み出して、
　　（オ）「前記
制御データは
クロック再生部９のクロック周波数即ちＡ／Ｄ変換部２のサンプリング周波数を示すデータ、
データ処理部４における映像の垂直拡大率
　〈装置の動作〉
　　（カ）「まず、入力アナログ映像信号はアナログ処理部１でクランプ処理が行われた後、Ａ／Ｄ変換部２でＡＤ変換される。このＡＤ変換出力は走査変換部３でハイビジョン信号に走査変換される。この走査変換部３は書き込み制御部７により入力映像信号に対応した第１のクロックで書き込まれ、読み出し制御部８によりハイビジョン信号に応じた第２のクロックで読み出される。
　そして、走査変換されたデータはデータ処理部４でブルーバック表示等の処理が施された後、Ｄ／Ａ変換部５でアナログのハイビジョン信号に変換されて出力される。」（段落0011、段落0012）
　〈入力映像信号の種別の識別〉
　　（キ）「一方、入力同期信号は同期信号処理部６で同期分離される。この同期信号及び後述するシステム制御部１１に基づきクロック再生部９は入力映像信号に適したサンプリング周波数のクロックを再生する。このクロックは前記Ａ／Ｄ変換部２及び書き込み制御部７に供給される。また、前記同期信号は入力映像識別部１０に供給され、入力映像信号の種別が識別され、特定された場合、この映像識別信号がシステム制御部１１へ供給される。
　そして、このシステム制御部１１は入力映像信号の種別に応じて前記ＲＯＭから対応する制御データを読み出し、前記各部を制御する。
　ここで、入力映像信号が規格の異なる他の映像信号に接続が変更された場合、入力映像識別部１０は同期信号の特徴を検出し、これと、あらかじめ規格の判明している複数の映像信号の特徴を複数のパラメータとして記憶した後述するＲＯＭ１０７の内容とを比較して入力映像信号を特定し、新しい映像識別信号を出力する。」（段落0013〜段落0015）
　　（ク）「従って、入力パソコン映像信号はその同期信号の特徴を検出して映像信号の種別を識別して特定されることにより、自動的に入力信号に応じた処理が行われるため入力信号の種類が変更されても自動的にハイビジョン映像信号に変換されることになる。」（段落0017）
　
　〈第２の実施例（図９）〉
　　（ケ）「本実施例の特徴は、入力映像信号のうちブランキング以外の部分で実際に映像が存在する有効領域を自動的に検出する有効領域検出部１２を設けた点である。」（段落0033）
　　（コ）「即ち、入力映像信号が前記入力映像識別部１０のＲＯＭ１０７の内容と一致しなかった（入力映像信号が特定できなかった）場合には、有効領域検出部１２で有効領域を自動的に検出し、この結果を基にシステム制御部１１はクロック再生部９で作成するクロックのサンプリング周波数、書き込み制御部７における走査変換部３のフレームメモリへの書き込み開始タイミング及びデータ処理部４における映像の垂直拡大率を演算して決定する。」
　　（サ）「次に、この有効領域検出部１２について説明する。まず、図１０は入力映像信号の波形図を示し、Ｈ１ 、Ｈ２・・・Ｈｎ−１は垂直同期信号の立ち上がり直後からの走査線の番号、Ｘは有効走査線開始点、Ｍは有効走査線数、ｔ１は水平同期信号の立ち上がりから水平有効領域開始点までの時間、ｔ２は水平有効時間である。これらの４つのデータが有効領域検出部１２から出力される。そして、前記システム制御部１１は入力映像信号が特定できなかった場合、前記４つのデータに基づきクロック再生部のサンプリング周波数、フレームメモリへの書き込み開始タイミング及び垂直拡大率を以下のようにして演算する。」
　　（シ）「まず、最適のサンプリング周波数は、出力映像信号の有効水平画素数（ハイビジョンの場合１９２０画素）をＳｘとすれば、Ｓｘ／ｔ２で求められる。次に、フレームメモリへの書き込み開始タイミングは、ｔ１及びＸで決定される。即ち、水平方向の書き込みは水平同期信号の立ち上がりからｔ１後に開始し、垂直方向の書き込みは垂直同期信号の立ち上がりからＸ番目の走査線から開始すれば、フレームメモリへは同期信号部分を除いた有効領域の映像データのみを書き込むことができる。」
　　（ス）「最後に、垂直拡大率は、出力映像信号の有効走査線数（ハイビジョンの場合１０３５本）をＳｙとすれば、Ｓｙ／Ｍで求められる。尚、水平方向の拡大は前記サンプリング周波数を上述のように設定することにより実質的に行われたことになる。」（段落0038、段落0039）
　　（セ）「上述のように、入力映像信号が入力映像識別部１０にて特定できない場合には、有効領域検出部１２により計４つのデータが検出され、これに基づいてシステム制御部１１がサンプリング周波数、メモリ書き込みタイミング及び垂直拡大率等を演算し制御データを発生する。そして、この制御データによりクロック再生部９、書き込み制御部７及びデータ処理部４を制御して最適な変換を行う事が可能となる。」（段落0048）
　〈発明の効果〉
　　（ソ）「上述の如く本発明によれば、入力映像信号の同期信号の特徴によりその種類が自動的に識別され、あらかじめ決められた映像信号のうちの一つに特定されるため、手動で操作することなしに走査変換手段の処理動作が自動的に最適な状態に設定される。」（段落0049）
　
２．対比（対応関係）
　本願発明と刊行物７に記載された発明とを対比する。
　（ａ）複数種類の映像信号、映像表示装置
　（ａ１）本願発明
　本願明細書には、「我国の標準伝送方式として・・・ＮＴＳＣ方式と、ＭＵＳＥ方式」（段落0002）が採用され、「パーソナルコンピュータのグラフィックスには、通常、アーキテクチャ毎に異なる規格の映像信号（以下、パソコン映像信号）・・・ＶＧＡモード（６４０×４８０ドット）、ＳＶＧＡモ−ド（８００×６００ドット）、ＸＧＡモ−ド（１０２４×７６８ドット）の内の何れかの規格・・・が採用されている」（段落0004）ところへ、「従来の映像信号処理装置には、パソコン映像信号以外の映像信号（例えば、カラーテレビ信号等）には適正な対応ができないという欠点がある。」（段落0010）とした上で、「本発明は、任意の伝送方式の映像信号を任意の画面方式のディスプレイ装置に適合するように変換する映像信号処理装置を提供・・・することを目的とする。」（段落0013）と記載されている。
　そして、上記ＮＴＳＣ方式とＭＵＳＥ方式については、「ＮＴＳＣ方式の倍速テレビジョン信号（フィ−ルド周波数ｆｖ ５９．９４Ｈｚ、水平周波数ｆｈ ３１．５ｋＨｚ、ブランキング期間を含めた解像度 ９１０×５２５ドット）や、ＭＵＳＥ方式のハイビジョン信号（フィ−ルド周波数ｆｖ ６０Ｈｚ、水平周波数ｆｈ ３３．７５ｋＨｚ、ブランキング期間を含めた解像度 １９２０×５６２．５ドット）」（段落0011）、「ＭＵＳＥ方式のハイビジョン信号にとって好ましいとされる画面のアスペクト比が１６:９であること」（段落0012）と記載されている。
　これによれば、本願発明にいう「互いに解像度及びアスペクト比が異なる複数種類の映像信号（が入力可能であって、）」は、パソコン映像信号（複数種類）及びテレビジョン信号（複数種類）を意味することが認められる。
　（ａ２）刊行物７
　刊行物７は「規格の異なる複数の映像信号を選択して他の規格の映像信号に変換する映像信号変換装置」（記載ア、段落0001）に関するところ、その「規格の異なる複数の映像信号」については「パーソナルコンピュータ（以下、パソコンという）からの映像信号やテレビジョン信号など、規格の異なる複数の映像信号を（ハイビジョン受像機で受信するためには、入力映像信号をハイビジョン信号に）変換する映像信号変換装置が必要となる。」（記載イ）と記載されている。そして、信号の「規格」は、「入力される映像の縦横サイズなど」（段落0004）であり、さらには「入力映像信号のうちブランキング以外の部分で実際に映像が存在する有効領域」（段落0033）であることが記載されている。すなわち、「規格の異なる複数の映像信号」は、パソコン映像信号（複数種類）及びテレビジョン信号（複数種類）であることが認められる。
　（ａ３）以上によれば、刊行物７の「映像信号変換装置」が変換の対象とする「規格の異なる複数の映像信号」は、本願発明にいう「互いに解像度及びアスペクト比が異なる複数種類の映像信号（が入力可能であって、）」と異なるところはない。また、刊行物７の「映像信号変換装置」の変換後の出力が「画面に（一杯に）表示する（のが好ましい）」（記載イ）ことを予定したものあることは明らかである。
　したがって、刊行物７の「映像信号変換装置」は、本願発明にいう「互いに解像度及びアスペクト比が異なる複数種類の映像信号が入力可能であって、該入力された映像信号に基づき表示デバイスに映像を表示する映像表示装置」に相当する。
　（ｂ）表示デバイス
　刊行物７では、変換後の信号（ハイビジョン信号：１９２０画素×１０３５本）は表示デバイスに供給されるところ（記載エ、シ）、表示デバイスの形式等については記載がない。これを「表示デバイスは画素構造を有する表示デバイスであって、」とする本願発明とは、相違が認められる。
　（ｃ）識別信号
　刊行物７では、入力映像識別部１０は、供給される同期信号から入力映像信号の種別を識別し、映像識別信号をシステム制御部１１に供給する。
　刊行物７には、本願発明のように、「入力映像信号の種類を識別するための識別信号が（、入力映像信号に対応して外部から入力されており、）」供給される構成の開示が認められる。
　もっとも、本願発明の識別信号は「入力映像信号に対応して外部から入力されて（おり、）」いるのに対して、刊行物７では映像表示装置の内部（入力映像識別部１０）において生成される。相違が認められる。
　（ｄ）サンプリング手段
　刊行物７では、入力映像識別部１０、複数の入力映像信号に応じた制御データ（クロック再生部９のクロック周波数、即ち、Ａ／Ｄ変換部２のサンプリング周波数を示すデータ）を記憶している「ＲＯＭ（図示省略）」（以下、内蔵ＲＯＭという）を有するシステム制御部１１を備え、入力映像識別部１０の出力（映像信号の種類を表す識別信号）に基づいて対応する制御データを読み出し、クロック再生部９等を制御する。
　刊行物７の上記回路構成は、本願発明にいう「（前記入力された）識別信号に基づいて、入力映像信号の種類に対応する前記入力映像信号の有効表示領域に応じたサンプル数で前記入力映像信号のサンプリングを行うサンプリング手段」に相当する。
　なお、刊行物７の識別信号は「外部から入力された」ものではなく、この点、本願発明と相違が認められることは、前記のとおりである。
　（ｅ）拡大処理回路
　（ｅ１）水平方向
　刊行物７では、クロック再生部９が入力映像信号に適したサンプリング周波数のクロックを再生し、このクロックをＡ／Ｄ変換部２と書き込み制御部７に供給する。そして、書き込み制御部７は、ＡＤ変換された入力映像信号を入力映像信号に対応した第１のクロックで走査変換部３に書き込み、読み出し制御部８は書き込まれた入力信号をハイビジョン信号に応じた第２のクロックで読み出す。これにより、走査変換部３はＡＤ変換された入力映像信号をハイビジョン信号に走査変換する。
　ここで、走査変換部３において、入力映像信号に対応したサンプリング周波数に基づくクロック（第１のクロック）で書き込み、ハイビジョン信号に応じたクロック（第２のクロック）で読み出すことは、実質的に、入力映像信号を水平方向に拡大することに他ならない。このことは、サンプリング周波数（第１のクロック）をハイビジョン信号に応じた周波数（Ｓｘ／ｔ２）とした場合（第２の実施例、記載シ）には、「水平方向の拡大はサンプリング周波数を設定することにより実質的に行われることになる」（段落0039）ことからも、また、上記刊行物９の記載（詳細は後記を参照）からも、明らかである。
　以上、走査変化部３は、クロック再生部９、書き込み制御部７及び読み出し制御部８と協働して水平方向の拡大を実質的に行うことから、これらからなる回路構成の回路動作は、本願発明にいう「サンプリング手段でサンプリングされた映像信号を水平方向に拡大する（拡大処理回路）」動作に相当する。
　（ｅ２）垂直方向
　刊行物７では、データ処理部４においてブルーバック表示や拡大縮小処理を行うところ、データ処理部４には、システム制御部１１から入力映像信号の種類に対応する垂直拡大率（内臓ＲＯＭに記憶している制御データのひとつ）が供給される。
　刊行物７のデータ処理部４の回路動作は、本願発明にいう「サンプリング手段でサンプリングされた映像信号を垂直方向に拡大する（拡大処理回路）」動作に相当する。
　（ｅ３）小括
　以上によれば、刊行物７の走査変化部３、クロック再生部９、書き込み制御部７、読み出し制御部８およびデータ処理部４からなる回路構成は、本願発明にいう「前記サンプリング手段でサンプリングされた映像信号を水平方向、垂直方向に拡大する拡大処理回路」に相当する。
　（ｆ）拡大率
　（ｆ１）水平方向
　刊行物７では、走査変換部３において、内蔵ＲＯＭに記憶した「入力映像信号に応じた制御データ（クロック再生部９のクロック周波数、即ち、Ａ／Ｄ変換部２のサンプリング周波数を示すデータ）」（以下、単に「Ａ／Ｄ変換部２のサンプリング周波数を示すデータ」という）に従い、入力映像信号に対応したサンプリング周波数に基づくクロック（第１のクロック）で書き込み、ハイビジョン信号に応じたクロック（第２のクロック）で読み出すことにより、実質的に、入力映像信号を水平方向に拡大することは、前記のとおりである。これによれば、「Ａ／Ｄ変換部２のサンプリング周波数を示すデータ」は水平方向の拡大率を織り込んだ「水平方向の拡大率に対応するデータ」であると言うことができる。
　そうすると、本願発明と刊行物７とは、「映像信号の
水平方向の拡大率に対応するデータ
　もっとも、水平方向の拡大率に対応するデータが、本願発明では「水平方向の拡大率」そのものであり、刊行物７では「Ａ／Ｄ変換部２のサンプリング周波数」である。相違が認められる。
　（ｆ２）垂直方向
　刊行物７では、データ処理部４において、内蔵ＲＯＭから読み出した「入力映像信号に対応する制御データ（垂直拡大率）」に従い、入力映像信号を垂直方向に拡大する。
　本願発明にいう「映像信号の垂直方向の拡大率を、入力映像信号の種類と対応付けて予め記憶する」構成の開示が認められる。
　（ｆ３）拡大率の組み合せ
　以上によれば、本願発明と刊行物７とは、「映像信号の
水平方向の拡大率に対応するデータ
　もっとも、水平方向の拡大率に対応するデータについて相違が認められることは、前記のとおりである。
　（ｇ）コントローラ
　刊行物７のシステム制御部１１が、映像識別信号に基づいて、入力映像信号に対応した制御データである「Ａ／Ｄ変換部２のサンプリング周波数を示すデータ」と「垂直拡大率」を読み出して、クロック再生部９、書き込み制御部７、読み出し制御部８及び走査変換部３、並びに、データ処理部４を制御することは、前記のとおりである。
　刊行物７のシステム制御部１１は、本願発明にいう「該引き出された（拡大率の）組み合わせを用いて、拡大処理回路を制御するコントローラ」に相当する。
　もっとも、組み合わせについて刊行物７と本願発明との間で相違が認められることは前記のとおりである。
　
３．一致点・相違点
　本願発明と刊行物７に記載された発明との一致点および相違点は、下記のとおりである。
　　　　　記（一致点）
　互いに解像度及びアスペクト比が異なる複数種類の映像信号が入力可能であって、該入力された映像信号に基づき表示デバイスに映像を表示する映像表示装置において、
　前記入力映像信号の種類を識別するための識別信号に基づいて、入力映像信号の種類に対応する前記入力映像信号の有効表示領域に応じたサンプル数で前記入力映像信号のサンプリングを行うサンプリング手段と、
　前記サンプリング手段でサンプリングされた映像信号を水平方向、垂直方向に拡大する拡大処理回路と、
　映像信号の水平方向の拡大率に対応するデータ及び垂直方向の拡大率の組み合わせを、前記入力映像信号の種類と対応付けて予め記憶する記憶手段と、
　前記識別信号に基づいて、入力映像信号の種類に対応する
水平方向の拡大率に対応するデータ
　を備えることを特徴とする映像表示装置。
　　　　　記（相違点）
　〈相違点１〉
　表示デバイスが、
　本願発明では「画素構造を有する表示デバイス」であるのに対して、刊行物７にはその形式等について記載がない点。
　〈相違点２〉
　識別信号が、
　本願発明では「入力映像信号に対応して外部から入力され（ており）」るのに対して、刊行物１では、内部（映像表示装置の内部）において生成される点。
　〈相違点３〉
　水平方向の拡大率に対応するデータが、
　本願発明では「水平方向の拡大率」そのものであるのに対して、刊行物１では「Ａ／Ｄ変換部２のサンプリング周波数を示すデータ」である点。
　
４．相違点の判断等
　（ａ）相違点１
　映像信号の表示デバイスとして「画素構造を有する表示デバイス」を用いることはＣＲＴ等と並び周知の事項である。これには、上記刊行物１（同刊行物に記載された液晶モジュール２４）などが参照される。
　相違点１に係る構成は、上記周知の事項を参照して、刊行物７の映像信号変換装置の出力を液晶モジュールなど「画素構造を有する表示デバイス」に供給することにより、当業者が容易になし得ることである。
　なお、刊行物７の「Ｄ／Ａ変換部５」の存在は、刊行物７の映像信号変換装置の出力を「画素構造を有する表示デバイス」に供給することを妨げるものではない。すなわち、「画素構造を有する表示デバイス」自体は各画素に対応するデジタル信号を必要とするとしても、供給されたアナログ信号をデジタル信号に変換して「画素構造を有する表示デバイス」に供給する態様も可能（通常）であるからである。加えて、本願発明は、サンプリングされた映像信号（拡大後）を「画素構造を有する表示デバイス」に直接供給することを特定するものでもなく、仮に、直接供給するとしても「Ｄ／Ａ変換器５」を削除することも可能（通常）であるからである。
　（ｂ）相違点２
　（ｂ１）本願発明
　本願明細書には識別信号の入力態様について記載（段落0020）があり、これによれば、例えば、「映像信号Ｂを入力すべき映像入力端子を切り換えるための操作に伴って発生する信号（ユーザが操作するリモコンから発信される信号等）」を利用するとしている。
　（ｂ２）周知の事項
　上記刊行物５には、接続コードの映像信号入力端子２ｉ（ｉ＝１、２、３、・・・）への接続をスイッチ等によって機械的に検出して信号伝送形態（コンポジットビデオ信号、Ｙ／Ｃ分離コンポーネント信号、ＲＧＢ信号やＨＤＴＶにおけるＹＰａＰｂ信号等）の判断を行なうことが記載されている（第４頁右上欄19行〜左下欄５行）。
　上記刊行物３には、装置の利用者に入力端子ごとに信号変換の係数（水平・垂直拡大率等）を設定させた上で、入力信号の切換に応じて設定値を変更することが記載されている（段落0035の４行〜５行、17行〜21行、26行〜29行、段落0043）。
　上記刊行物６には、ユーザのリモコン装置のキー操作に基づくリモコン信号により、受信する放送波がアナログ放送信号であるかデジタル放送信号であるかを指定し、デコーダ及びメモリを各放送信号に対応するように切り換えることが記載されている（段落0099、図１）。
　以上によれば、本願発明にいう「外部から入力する」（映像信号Ｂを入力すべき映像入力端子を切り換えるための操作に伴って発生する信号（ユーザが操作するリモコンから発信される信号等を利用する））ことは周知の事項であると認められる。
　（ｂ３）刊行物７
　刊行物７は、従来、信号処理方法や拡大率を入力映像信号の種類に応じて手動により切り換えていたため、非常に煩わしいという欠点があったところへ、入力映像信号の種類を自動的に識別することにより、手動で操作することなしに処理動作等を自動的に最適な状態に設定することができるようにしたものである。入力映像信号の種類に応じて手動により切り換えることは、すなわち、入力映像信号の種類（識別信号）を外部から指定することを示唆するものである。
　（ｂ４）小括
　相違点２に係る構成は、刊行物７において、映像識別信号の供給元を入力映像識別部１０に代えて、上記周知の事項を採用することにより、当業者が容易になし得ることである。
　（ｃ）相違点３
　（ｃ１）刊行物９
　上記刊行物９には、走査線補間回路１８において、垂直方向の任意の倍率に応じた走査線補間映像データが作成され、水平方向の拡大は、プログラマブルＰＬＬ回路６のクロック分周比を変更することにより行なうことが記載され（段落0007）、さらに、図１によれば、「垂直拡大率データ」と「水平拡大率データ」とを一組（組み合わせ）として供給するとともに、「水平拡大率データ」に基づいてプログラマブルＰＬＬ回路６のクロック分周比を変更（引いては、Ａ／Ｄ変化器１のサンプリング周波数を変更）することが見て取れる。刊行物９には、水平拡大率に基づいてＡ／Ｄ変換器のサンプリング周波数を変更することが開示されている。
　（ｃ２）刊行物７
　刊行物７において、「サンプリング周波数を示すデータ」が水平拡大率を織り込んだデータであることは前記のとおりである。また、水平拡大率を織り込んだ「サンプリング周波数を示すデータ」が、水平拡大率と対をなす垂直拡大率とともに映像識別信号に対応して内蔵ＲＯＭに記憶されることも前記のとおりである。
　（ｃ３）小括
　相違点３に係る構成は、刊行物７における映像識別信号に応じて「サンプリング周波数を示すデータ」を得る過程を、上記刊行物９の開示を参照して、映像識別信号に応じて一旦「水平拡大率」を得その「水平拡大率」に基づいて「サンプリング周波数を示すデータ」を得る過程とすることにより、当業者が容易になし得ることである。
　（ｄ）効果等
　上記相違点１から相違点３までに係る各構成は当業者が容易になし得ることであるところ、これら相違点を総合しても格別の作用をなすとは認められない。本願発明の効果も、刊行物７および刊行物９の記載並びに上記周知の事項から予測することができる程度のものに過ぎない。
　（ｅ）まとめ（相違点の判断等）
　以上、本願発明は、刊行物７および刊行物９に記載された発明並びに周知技術に基づいて、当業者が容易に発明をすることができたものである。
　
第四　むすび
　
　以上、本願の請求項１に係る発明は、刊行物７および刊行物９に記載された発明並びに周知技術に基づいて当業者が容易に発明をすることができたものであるから、特許法第２９条第２項の規定により特許を受けることができない。
　したがって、残る請求項２から請求項５までに係る各発明について特に検討するまでもなく、本願は拒絶をすべきものである。
　よって、結論のとおり審決する。